【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
ファイル名を生成するための命名規則に用いる複数の項目それぞれの情報を設定するための設定画面を表示する表示手段と、
前記設定画面に表示されている前記複数の項目の少なくともいずれかについてファイル名を一意に決定するための情報が設定されているかどうかを判定する判定手段と、
前記設定画面に表示されている前記複数の項目のうちからユーザによって変更対象の項目が選択されたとき、当該変更対象の項目に設定される情報が変更されると、前記複数の項目のいずれにも前記ファイル名を一意に決定するための情報が設定されなくなると前記判定手段が判定すると、前記設定画面において当該変更対象の項目に設定可能な情報を制限する制限手段と、
を有することを特徴とする情報処理装置。
【請求項２】
前記設定画面は、前記複数の項目のうちから前記ユーザによって変更対象の項目が選択されたとき、当該変更対象の項目に対して設定可能な情報の一覧を表示し、当該一覧からユーザにより選択された情報を、当該変更対象の項目に対して設定することを特徴とする請求項１に記載の情報処理装置。
【請求項３】
前記設定画面に表示されている前記複数の項目のうちから前記ユーザによって変更対象の項目が選択されたとき、当該変更対象の項目に設定される情報が変更されると、前記複数の項目のいずれにも前記ファイル名を一意に決定するための情報が設定されなくなると前記判定手段が判定すると、前記制限手段は、前記変更対象の項目に対して設定可能な情報の一覧を、ファイル名を一意に決定するための情報だけに制限することを特徴とする請求項２に記載の情報処理装置。
【請求項４】
前記制限手段が前記変更対象の項目に設定可能な情報を制限している場合、前記設定画面には、前記変更対象の項目に設定可能な情報が制限されている旨が表示されることを特徴とする請求項１乃至３のいずれか１項に記載の情報処理装置。
【請求項５】
ファイル名を生成するための命名規則に用いる複数の項目それぞれの情報を設定するための設定画面を表示する表示手段と、
前記設定画面に表示されている前記複数の項目の少なくともいずれかについてファイル名を一意に決定するための情報が設定されているかどうかを判定する判定手段と、
前記設定画面に表示されている前記複数の項目のうちからユーザによって変更対象の項目が選択されて、当該変更対象の項目に設定される情報が変更されたとき、、前記複数の項目のいずれにも前記ファイル名を一意に決定するための情報が設定されなくなると前記判定手段が判定すると、前記設定画面において当該変更対象の項目以外の項目を、前記ファイル名を一意に決定するための情報に変更する変更手段と、
を有することを特徴とする情報処理装置。
【請求項６】
前記設定画面は、前記複数の項目のうちから前記ユーザによって変更対象の項目が選択されたとき、当該変更対象の項目に対して設定可能な情報の一覧を表示し、当該一覧からユーザにより選択された情報を、当該変更対象の項目に対して設定することを特徴とする請求項５に記載の情報処理装置。
【請求項７】
前記変更手段による変更の可否を前記ユーザに確認する確認手段を更に有し、
前記設定画面に表示されている前記複数の項目のうちからユーザによって変更対象の項目が選択されて、当該変更対象の項目に設定される情報が変更されたとき、前記複数の項目のいずれにも前記ファイル名を一意に決定するための情報が設定されなくなると前記判定手段が判定し、かつ、前記確認手段で前記ユーザが前記変更を許可した場合に、前記変更手段は、前記設定画面において前記変更対象の項目以外の項目を、前記ファイル名を一意に決定するための情報に変更することを特徴とする請求項５又は６に記載の情報処理装置。
【請求項８】
前記変更手段は、前記確認手段で前記ユーザが前記変更を許可しない場合に、前記変更対象の項目を、変更前の状態に戻す手段を更に有することを特徴とする請求項７に記載の情報処理装置。
【請求項９】
ファイル名を生成するための命名規則に用いる複数の項目それぞれの情報を設定するための設定画面を表示する表示手段と、
前記設定画面に表示されている前記複数の項目の少なくともいずれかについてファイル名を一意に決定するための情報が設定されているかどうかを判定する判定手段と、
前記設定画面に表示されている前記複数の項目のうち、設定されている情報がユーザによって変更されると、前記複数の項目のいずれにも前記ファイル名を一意に決定するための情報が設定されなくなると前記判定手段が判定した項目についての変更を禁止する禁止手段と、
を有することを特徴とする情報処理装置。
【請求項１０】
前記ファイル名を一意に決定するための情報は、受信日時、前記情報処理装置のシリアル番号のいずれかを含むことを特徴とする請求項１乃至９のいずれか１項に記載の情報処理装置。
【請求項１１】
ファイル名を生成するための命名規則に用いる複数の項目それぞれの情報を設定するための設定画面を表示する表示工程と、
前記設定画面に表示されている前記複数の項目の少なくともいずれかについてファイル名を一意に決定するための情報が設定されているかどうかを判定する判定工程と、
前記設定画面に表示されている前記複数の項目のうちからユーザによって変更対象の項目が選択されたとき、当該変更対象の項目に設定される情報が変更されると、前記複数の項目のいずれにも前記ファイル名を一意に決定するための情報が設定されなくなると前記判定工程で判定すると、前記設定画面において当該変更対象の項目に設定可能な情報を制限する制限工程と、
を有することを特徴とする情報処理装置の制御方法。
【請求項１２】
ファイル名を生成するための命名規則に用いる複数の項目それぞれの情報を設定するための設定画面を表示する表示工程と、
前記設定画面に表示されている前記複数の項目の少なくともいずれかについてファイル名を一意に決定するための情報が設定されているかどうかを判定する判定工程と、
前記設定画面に表示されている前記複数の項目のうちからユーザによって変更対象の項目が選択されて、当該変更対象の項目に設定される情報が変更されたとき、前記複数の項目のいずれにも前記ファイル名を一意に決定するための情報が設定されなくなると前記判定工程で判定すると、前記設定画面において当該変更対象の項目以外の項目を、前記ファイル名を一意に決定するための情報に変更する変更工程と、
を有することを特徴とする情報処理装置の制御方法。
【請求項１３】
ファイル名を生成するための命名規則に用いる複数の項目それぞれの情報を設定するための設定画面を表示する表示工程と、
前記設定画面に表示されている前記複数の項目の少なくともいずれかについてファイル名を一意に決定するための情報が設定されているかどうかを判定する判定工程と、
前記設定画面に表示されている前記複数の項目のうち、設定されている情報がユーザによって変更されると、前記複数の項目のいずれにも前記ファイル名を一意に決定するための情報が設定されなくなると前記判定工程で判定した項目についての変更を禁止する禁止工程と、
を有することを特徴とする情報処理装置の制御方法。
【請求項１４】
コンピュータを、請求項１乃至１０のいずれか１項に記載の情報処理装置の各手段として機能させるためのプログラム。
【手続補正２】
【補正対象書類名】明細書
【補正対象項目名】０００８
【補正方法】変更
【補正の内容】
【０００８】
上記目的を達成するために本発明の一態様に係る情報処理装置は以下のような構成を備える。即ち、
ファイル名を生成するための命名規則に用いる複数の項目それぞれの情報を設定するための設定画面を表示する表示手段と、
前記設定画面に表示されている前記複数の項目の少なくともいずれかについてファイル名を一意に決定するための情報が設定されているかどうかを判定する判定手段と、
前記設定画面に表示されている前記複数の項目のうちからユーザによって変更対象の項目が選択されたとき、当該変更対象の項目に設定される情報が変更されると、前記複数の項目のいずれにも前記ファイル名を一意に決定するための情報が設定されなくなると前記判定手段が判定すると、前記設定画面において当該変更対象の項目に設定可能な情報を制限する制限手段と、を有することを特徴とする。
【手続補正３】
【補正対象書類名】明細書
【補正対象項目名】００２９
【補正方法】変更
【補正の内容】
【００２９】
ｈｏｓｔｎａｍｅ７０１は、ファイルサーバ１２０のホスト名を示す。図では、「ｓｈａｒｅｄｓｅｒｖｅｒ」がファイルサーバ１２０のホスト名として指定されている。尚、このホスト名として、ファイルサーバ１２０のＩＰアドレスを用いてもよい。ｆｏｌｄｅｒｐａｔｈ７０２は、転送した画像ファイルの格納先フォルダの起点となるパスを示す。図では、「ｒｏｏｔ」が格納先フォルダパスとして指定されている。ｕｓｅｒｎａｍｅ７０３は、ファイルサーバ１２０へ認証するためのログインユーザ名を示す。図７では、管理者を示す「ａｄｍｉｎｉｓｔｒａｔｏｒ」がログインユーザ名として指定されている。ｐａｓｓｗｏｒｄ７０４は、ファイルサーバ１２０へ認証するためのパスワードを示す。図では「３２９４２ｘｃ４５」がパスワードとして指定されている。尚、パスワードの文字列は、ハッシュなどの暗号方法を用いて難読化されていてもよい。ｆｉｌｅｎａｍｅｒｕｌｅ７０５は、ファイルサーバ１２０に画像ファイルを保存する際のファイル命名規則を示す。ｆｏｌｄｅｒｎａｍｅｒｕｌｅ７０６は、ファイルサーバ１２０に画像ファイルを保存する際のフォルダパスの命名規則を示す。これらに関しては詳しく後述する。
【手続補正４】
【補正対象書類名】明細書
【補正対象項目名】００３４
【補正方法】変更
【補正の内容】
【００３４】
次に図７を参照して、ファイルサーバ１２０に画像ファイルを保存する際のファイル命名規則であるｆｉｌｅｎａｍｅｒｕｌｅ７０５について説明する。
【手続補正５】
【補正対象書類名】明細書
【補正対象項目名】００３６
【補正方法】変更
【補正の内容】
【００３６】
ｆｏｌｄｅｒｎａｍｅｒｕｌｅ７０６は、ファイルサーバ１２０に画像ファイルを保存する際のフォルダパスの命名規則を示す。この命名規則の形式としては、［項目名１］パス区切り記号（ここでは「／」）［項目名２］パス区切り記号（ここでは「／」）［項目名３］の形式で保持する。新規で項目名を追加する場合、パス区切り記号（「／」）及び追加項目名を既存の命名規則に追加する。例えば、「項目名４」を追加した場合、フォルダパスの命名規則は、［項目名１］（パス区切り記号）／［項目名２］／［項目名３］／［項目名４］となる。また項目名［ＲＥＧＩＳＴＮＡＭＥ］は登録名称を示し、項目名［ＦＡＸＮＵＭＢＥＲ］は送信元の電話番号を示し、［ＤＡＴＥ］は受信日時を示す。図７では、フォルダパスの命名規則として、［ＲＥＧＩＳＴＮＡＭＥ］／［ＦＡＸＮＵＭＢＥＲ］／［ＤＡＴＥ］が指定されており、「登録名称／電話番号／受信日時」が保存先のフォルダパスとなる。
【手続補正６】
【補正対象書類名】明細書
【補正対象項目名】００４８
【補正方法】変更
【補正の内容】
【００４８】
図１０（Ａ）では、項目１００１に「受信日時」、項目１００２に「Ｆａｘ番号」、項目１００３に「登録名称」、項目１００４で、セパレータとして「アンダーバー」が指定されたときファイル名をプレビュー表示している。
【手続補正７】
【補正対象書類名】明細書
【補正対象項目名】００７２
【補正方法】変更
【補正の内容】
【００７２】
次にＳ１３１３に進みＣＰＵ２０１は、例えば図１２に示すテスト送信画面を表示する。そしてＳ１３１４に進みＣＰＵ２０１は、このテスト送信画面で、ユーザがどのボタンを押下したかを判定する。ここでユーザがいずれのボタンも押下しないときはＳ１３１３を実行する。そしてユーザがＯＫボタン１２０７を押下したと判定すると、この処理を終了する。一方、ユーザがキャンセルボタン１２０５を押下したと判定した場合はＳ１３０１に進む。また戻るボタン１２０６を押下したと判定した場合はＳ１３１０に進む。更に、ユーザがテスト送信ボタン１２０４を押下したと判定した場合はＳ１３１５に進む。Ｓ１３１５でＣＰＵ２０１は、ファイルサーバ設定画面（図９）、ファイル命名規則の設定画面（図１０）、フォルダ命名規則の設定画面（図１１）、及びテスト送信画面（図１２）で設定された内容に基づいて送信テストを実施してＳ１３１３に進む。